(57)【要約】【課題】  簡易な構成で組立を容易とする内容物押出容器を提供することを課題とする。【解決手段】  吐出部材１４（１５）の後側へ延出する係合部２０を、連結部材１３の第一の被係合部５０及び首部３の第二の被係合部１０，３０に係合させることで、吐出部材１４（１５）を連結部材１３及び首部３に対して回転方向に位置決めする構成とし、簡易な構成で組立を容易とすると共に吐出部材１４（１５）の係合部２０を連結部材１３及び首部３の二部品の回転方向の係合に兼用として一層簡易な構成で組立を容易とする。【選択図】  図１６
2006335419.tif 000002
【特許請求の範囲】
【請求項１】
内容物が収容される収容部及びこの収容部内に連通する開口を形成する首部を備えた容器本体と、前記内容物を吐き出すための吐出口を有し前記首部に装着される吐出口本体と、を具備した内容物押出容器であって、
前記吐出口本体は、前記首部に装着される連結部材と、
この連結部材に装着される吐出部材と、を備え、
前記吐出部材は、後側へ延出する係合部を有しており、
前記連結部材は、前記吐出部材の前記係合部により係合される第一の被係合部を有しており、
前記首部は、前記吐出部材の前記係合部により係合される第二の被係合部を有しており、
前記吐出部材の前記係合部を前記連結部材の前記第一の被係合部及び前記首部の前記第二の被係合部に係合することにより、前記吐出部材が前記連結部材及び前記首部に対して回転方向に位置決めされていることを特徴とする内容物押出容器。
【請求項２】
前記吐出部材の前記係合部を前記連結部材の前記第一の被係合部に係合した時、当該吐出部材の前記係合部及び前記連結部材により前記吐出口本体を前記首部に装着するための案内部が形成されることを特徴とする請求項１記載の内容物押出容器。
【請求項３】
内容物が収容される収容部及びこの収容部内に連通する開口を形成する首部を備えた容器本体と、前記内容物を吐き出すための吐出口を有し前記首部に装着される吐出口本体と、を具備した内容物押出容器であって、
前記吐出口本体は、前記首部に装着される連結部材と、
この連結部材に装着される吐出部材と、を備え、
前記吐出部材は、第一の係合部を有しており、
前記連結部材は、前記吐出部材の前記第一の係合部により係合される第一の被係合部を有すると共に、第二の係合部を有しており、
前記首部は、前記連結部材の前記第二の係合部により係合される第二の被係合部を有しており、
前記吐出部材の前記第一の係合部を前記連結部材の前記第一の被係合部に係合すると共に、前記連結部材の前記第二の係合部を前記首部の前記第二の被係合部に係合することにより、前記吐出部材が前記連結部材及び前記首部に対して回転方向に位置決めされていることを特徴とする内容物押出容器。
【発明の詳細な説明】
【技術分野】
【０００１】
本発明は、容器内の収容部に収容された内容物を押し出して使用するための内容物押出容器に関する。
【背景技術】
【０００２】
この種の技術としては以下の特許文献１の容器が知られている。この容器にあっては、容器本体先端の開口を形成する首部に対して、首軸、結合体、突出杆、液状化粧料が流れる流路を開閉するバルブ体、この流路に連通するパイプ、塗布体を保持する筆筒等の部品を組み付ける構成とされている。
【特許文献１】実公平３−３３３０３号公報
【発明の開示】
【発明が解決しようとする課題】
【０００３】
ここで、上記公報記載の容器にあっては、簡易な構成で組立を容易とすることが求められている。特に、塗布体が例えばブラシのように回転方向の方向性を有すると共に、容器本体が例えばチューブのように回転方向の方向性を有し、円筒状を成す首部に対して、円筒状を成す部品を連結していく場合には、ブラシとチューブの方向性を対応させるべく（一致させるべく）首部に対して部品の方向を決めて回転不能に装着することが必要とされるため、簡易な構成で組立を容易とすることが一層求められる。
【０００４】
本発明は、このような課題を解決するために成されたものであり、簡易な構成で組立を容易とする内容物押出容器を提供することを目的とする。
【課題を解決するための手段】
【０００５】
本発明による内容物押出容器は、内容物が収容される収容部及びこの収容部内に連通する開口を形成する首部を備えた容器本体と、内容物を吐き出すための吐出口を有し首部に装着される吐出口本体と、を具備した内容物押出容器であって、吐出口本体は、首部に装着される連結部材と、この連結部材に装着される吐出部材と、を備え、吐出部材は、後側へ延出する係合部を有しており、連結部材は、吐出部材の係合部により係合される第一の被係合部を有しており、首部は、吐出部材の係合部により係合される第二の被係合部を有しており、吐出部材の係合部を連結部材の第一の被係合部及び首部の第二の被係合部に係合することにより、吐出部材が連結部材及び首部に対して回転方向に位置決めされていることを特徴としている。
【０００６】
このような内容物押出容器によれば、吐出部材は、後側へ延出する係合部が、連結部材の第一の被係合部及び首部の第二の被係合部に係合され、連結部材及び首部に対して回転方向に位置決めされる。従って、簡易な構成で組立が容易とされると共に吐出部材の係合部が連結部材、首部の二部品の回転方向の係合に兼用とされて一層簡易な構成で組立が容易とされる。
【０００７】
ここで、吐出部材の係合部を連結部材の第一の被係合部に係合した時、当該吐出部材の係合部及び連結部材により吐出口本体を首部に装着するための案内部が形成される構成であると、首部に被せる吐出口本体により首部が見難く当該吐出口本体の首部に対する装着がし難くなっている組み立てにおいて、案内部が、吐出口本体を首部に装着する際の案内とされるため、一層組立が容易とされる。
【０００８】
また、本発明による内容物押出容器は、内容物が収容される収容部及びこの収容部内に連通する開口を形成する首部を備えた容器本体と、内容物を吐き出すための吐出口を有し首部に装着される吐出口本体と、を具備した内容物押出容器であって、吐出口本体は、首部に装着される連結部材と、この連結部材に装着される吐出部材と、を備え、吐出部材は、第一の係合部を有しており、連結部材は、吐出部材の第一の係合部により係合される第一の被係合部を有すると共に、第二の係合部を有しており、首部は、連結部材の第二の係合部により係合される第二の被係合部を有しており、吐出部材の第一の係合部を連結部材の第一の被係合部に係合すると共に、連結部材の第二の係合部を首部の第二の被係合部に係合することにより、吐出部材が連結部材及び首部に対して回転方向に位置決めされていることを特徴としている。
【０００９】
このような内容物押出容器によれば、吐出部材は、その第一の係合部が、連結部材の第一の被係合部に係合され、この連結部材は、その第二の係合部が、首部の第二の被係合部に係合され、これにより、吐出部材は、連結部材及び首部に対して回転方向に位置決めされる。従って、簡易な構成で組立が容易とされる。
【発明の効果】
【００１０】
このように本発明による内容物押出容器によれば、簡易な構成で組立を容易とすることが可能となる。
【発明を実施するための最良の形態】
【００１１】
以下、本発明による内容物押出容器の好適な実施形態について図１〜図２２を参照しながら説明する。図１〜図１９は、本発明の第一実施形態を、図２０〜図２２は、本発明の第二実施形態を各々示すもので、図１は、本発明の第一実施形態に係る内容物押出容器を示す縦断面図、図２は、キャップ装着時の要部の拡大図、図３は、キャップ非装着時の要部の拡大図、図４及び図５は、チューブを示す各斜視図、図６及び図７は、第一部材を示す各斜視図、図８及び図９は、第二部材を示す各斜視図、図１０〜図１３は、連結部材を示す各図、図１４は、アウターキャップを示す後方斜視図、図１５は、インナーキャップを示す後方斜視図、図１６及び図１７は、内容物押出容器の各分解斜視図、図１８は、図３のXVIII−XVIII矢視図、図１９は、図１８のXIX−XIX矢視図であり、本実施形態の内容物押出容器は、内容物を収容すると共に使用者により適宜押し出し可能とするものである。
【００１２】
ここでは、内容物として、好適であるとして、リキッドファンデーションが用いられている。
【００１３】
図１に示すように、内容物押出容器１００は、概略、内部に内容物Ｌが充填される収容部１２を有すると共にその先端に円筒状の首部３を有するチューブ（容器本体）１と、このチューブ１の首部３に装着される装着側の部分が円筒状を成して当該首部３に装着され、その内部に内容物Ｌが流れる流路４、この流路４を開閉する弁体５、流路４を流れる内容物Ｌを外部に吐出するための吐出口６及び当該吐出口６からの内容物Ｌを被塗布部に塗布するためのブラシ（塗布部）７を備えた吐出口本体２と、吐出口本体２に着脱可能に装着されてブラシ７を覆うキャップ４２と、を具備している。
【００１４】
ここで、本実施形態の内容物押出容器１００にあっては、チューブ１及びブラシ７は各々回転方向の方向性を有している。具体的には、チューブ１は、図４及び図５に示すように、先端の円筒形状から後端に行くに従って徐々に一方向に扁平とされて後端面が略楕円形状とされ、ブラシ７は、図３及び図１９に示すように、その横断面が一方向に扁平な（図示上下方向に短く紙面垂直方向に長い）略楕円形状とされている。従って、これらチューブ１とブラシ７にあっては、見映え及び使用性を高めるべくチューブ１とブラシ７の回転方向の方向性を合わせる、具体的には、チューブ１とブラシ７の長手方向を一致させる必要があるが、チューブ１の首部３とこれに装着される吐出口本体２の装着側の部分が円筒状にされているため、これらの部品間で回転方向の係合が必要となる。そこで、本実施形態では、回転方向の係合を含む組み立てを容易とする簡易な部品構成が採用されている。以下、各部品を詳細に説明する。
【００１５】
チューブ１は、前述のように、図４及び図５に示すように、その収容部１２が、先端の円筒形状から後端に行くに従って徐々に一方向に扁平とされて後端面が略楕円形状とされた軟質容器である。首部３は、円筒状に構成されてチューブ１の先端の開口８を形成するもので、肉厚が厚くされることで所定の剛性が保たれている。
【００１６】
このチューブ１の首部３には、その外周面の根元近傍に、吐出口本体２を装着するための環状凸部９が設けられている。また、首部３の外周面の環状凸部９より先端側には、周方向に近接して対向して配置され軸線方向に延びる一対の凸部１０，１０が設けられ、この一対の凸部１０，１０間に軸線方向に延びる溝１１が形成されている。この一対の凸部１０，１０及び溝１１は、収容部１２の短軸（図示上下軸）に重なる位置に設けられている。また、この一対の凸部１０，１０及び溝１１の軸線を挟んだ反対側の首部３の外周面にも、この一対の凸部１０，１０及び溝１１と同様な構成の一対の凸部３０，３０及び溝３１が対向して設けられている。これらの一対の凸部（第二の被係合部）１０，１０、３０，３０及び溝１１、３１は、吐出口本体２を装着するためのものである。
【００１７】
吐出口本体２は、図１に示すように、後側の連結部材１３と前側の吐出部材１４とを備える構成とされ、さらに吐出部材１４は、外側の第一部材１５と内側の第二部材１６とブラシ７とを備える構成とされている。
【００１８】
吐出部材１４を構成する第一部材１５は、図６及び図７に示すように、軸線方向略中央部が円筒状に構成されて外周面に鍔部１７を有すると共に、この鍔部１７の後方近傍から後側が、周方向に沿って軸線方向に凹凸する凹凸部１８とされた例えば樹脂による一体成型品である。この凹凸部１８は、第二部材１６及び連結部材１３を装着するためのものである。また、凹凸部１８の凸部（係合部）２０は、吐出口本体２をチューブ１の首部３に対して装着する際の案内部（ガイド）となると共に、当該首部３の外周面における凸部１０，３０（第二の被係合部）間Ｘに進入して首部３に回転方向に係合するためのものである。
【００１９】
この凹凸部１８の凹部１９は、互いに対向するように周方向に沿って四個設けられ、一方の対向する凹部１９ａ，１９ａ同士の周方向の円弧長さが、他方の対向する凹部１９ｂ，１９ｂ同士の周方向の円弧長さに比して大きくされている。また、凹凸部１８の凹部１９，１９間に形成される凸部２０は、互いに対向するように周方向に沿って四個設けられて横断面円弧状の周面を有し各々の周方向の円弧長さは同じとされている。また、凸部２０の端部には、外側に張り出す抜け止め部４１が設けられている。この抜け止め部４１は、第一部材１５の軸線方向外方への抜け止めとして機能する。
【００２０】
この第一部材１５は、鍔部１７の円筒形状から前方に行くに従って徐々に一方向に扁平とされて先端面が略楕円筒形状の開口２１とされている。鍔部１７は、キャップ４２の装着時に当該キャップ４２により軸線方向に押圧されるためのものであり、開口２１は、横断面が一方向に扁平なブラシ７を嵌挿させるためのものである。この開口２１を形成する扁平の筒部分が、ブラシ７を支持するブラシホルダとして機能する。そして、凹凸部１８の凹部１９ａ，１９ａは、開口２１の短軸（図６の上下軸）に重なる位置に設けられ、凹部１９ｂ，１９ｂは、開口２１の長軸（図６の左右軸）に重なる位置に設けられている。
【００２１】
ブラシ７は、図３に示すように、その全体の横断面が一方向に扁平な（図示上下方向に短く紙面垂直方向に長い）略楕円形状とされている。このブラシ７は、第一部材１５を嵌挿し当該第一部材１５により包囲されて支持された状態とされている。
【００２２】
吐出部材１４を構成する第二部材１６は、図３、図８、図９及び図１９に示すように、略円筒状の第二部材本体３７の内周面の軸線方向の途中から張り出す先細りの円筒部４９の先端に、その後端が連設されて前側に向かって突出するパイプ６０を備えた例えば樹脂による一体成型品である。この第二部材本体３７には、図８及び図９に示すように、その先端部に鍔部３８が設けられると共に、この鍔部３８の外周面の対向する位置に、ボス（凸部）３９，３９が設けられている。このボス３９は、第一部材１５の凹部１９ａ，１９ａに進入し回転方向に係合するためのものである。また、第二部材１６の鍔部３８の後端面には、Ｏリング４８を装着するための環状凹部５１が設けられている。
【００２３】
この第二部材１６は、図３に示すように、第一部材１５に内挿され、図３、図１６及び図１７に示すように、そのボス３９が第一部材１５の凹部１９ａに進入し回転不能に連結されると共に、図３に示すように、そのパイプ部６０の先端がブラシ７の後端から軸線方向中程まで進入した状態とされている。また、第二部材１６の環状凹部５１には、Ｏリング４８が嵌着されている。このＯリング４８は、連結部材１３との間で変形し吐出部材１４を軸線方向前方へ移動させるためのものである。
【００２４】
連結部材１３は、図３、図１０〜図１３に示すように、略円筒状を成す外筒２２と略円筒状を成す内筒２３とを、周方向に１８０°離間して配置される一対のリブ２４，２４により連結すると共に、この内筒２３の内側に弁体５を設けた例えば樹脂による一体成型品である。従って、図１０〜図１３に示すように、外筒２２と内筒２３との間の領域でリブ２４，２４の無い部分は、孔（第一の被係合部）５０，５０とされている。この孔５０は、第一部材１５の凹凸部１８の凸部２０を挿通させて回転方向に係合するためのものであり、回転方向の位置決め用孔として機能する。
【００２５】
外筒２２は、その先端側の外周面にキャップ４２を装着するための雄螺子２６を備えると共に、その後端側の内周面に、首部３の環状凸部９に軸線方向に係合するための環状溝２７を備えている。この外筒２２の内周面には、上記リブ２４の裏面から後方に突出する係合凸部２８が各々設けられている。この係合凸部２８は、チューブ１の首部３の溝１１，３１に進入するものである。
【００２６】
また、外筒２２の内周面には、図３、図１２、図１３及び図１９に示すように、係合凸部２８，２８を周方向から挟むようにして周方向に沿って延びる半円弧状の環状凸部２９，２９が設けられている。この環状凸部２９は、第一部材１５の抜け止め部４１に軸線方向に対向する抜け止めとして機能するものである。さらに、外筒２２は、図１０〜図１３に示すように、その環状凸部２９の内周面で周方向のリブ２４，２４同士の間の位置に、係合凸部３２，３２を備えている。この係合凸部３２は、第一部材１５の凹凸部１８の凹部１９ｂに進入するためのものである。
【００２７】
弁体５は、図３、図１０、図１１及び図１９に示すように、内筒２３の後端から内側に張り出してから前側に向かう壁部３４の先端を構成するものである。壁部３４は、これより後側の内容物Ｌを前側に流出させるための複数の開口３５を備え、弁体５は、流路４を開閉するための円錐状の先端部３６を備えている。
【００２８】
そして、連結部材１３は、図３、図１６及び図１７に示すように、そのリブ２４が、第一部材１５の凹凸部１８の凹部１９ａに対して第二部材１６のボス３９に重なるようにして進入すると共に、図１６及び図１９に示すように、その位置決め用孔５０に、第一部材１５の凹凸部１８の凸部２０が挿通することで、第一部材１５に回転不能に連結されている。なお、この状態で、連結部材１３の係合凸部３２（図１０〜図１３参照）は、図１８に示すように、第一部材１５の凹凸部１８の凹部１９ｂに進入し、これによっても、連結部材１３が第一部材１５に対して回転不能に連結される。
【００２９】
また、図１６〜図１９に示すように、第二部材１６及び連結部材１３を回転不能に連結した第一部材１５は、その凹凸部１８の横断面円弧状の周面を有する凸部２０の先端部が、円筒状を成す首部３の外周面における周方向に沿った凸部１０，３０間Ｘに進入し係合することで、首部３に回転不能に連結されている。
【００３０】
すなわち、第一部材１５、第二部材１６及び連結部材１３の全ての部品が首部３に対して回転不能に連結されている。なお、この状態で、図３及び図１８に示すように、連結部材１３の係合凸部２８は、首部３の溝１１，３１に進入し、これによっても、第一部材１５、第二部材１６及び連結部材１３が、首部３に対して回転不能に連結される。
【００３１】
また、第一部材１５に回転不能に連結された連結部材１３は、図３、図１６及び図１９に示すように、その内筒２３が首部３に内挿されると共にその外筒２２が首部３に外挿され、その環状溝２７が首部３の環状凸部９に係合することで、首部３に軸線方向移動不能に装着されると共に、第一部材１５及び第二部材１６は、首部３に軸線方向移動不能に連結された連結部材１３と第二部材１６との間のＯリング４８により軸線方向に弾発されて、第一部材１５の凹凸部１８の凸部２０の先端部の抜け止め部４１の前側の面が、連結部材１３の環状凸部２９の後側の面に当接し、第一部材１５及び第二部材１６のそれ以上の前方への移動が阻止される図３及び図１９に示す状態とされている。
【００３２】
そして、図３に示すように、首部３、連結部材１３の内筒２３、第二部材本体３７、パイプ部６０により囲まれる空間が、内容物Ｌが流れる流路４とされ、このパイプ部６０の先端の開口が、流路４を流れる内容物Ｌを外部に吐出するための吐出口６とされ、図３に示す状態では、第二部材１６の先細りの円筒部４９の開口と弁体５の先端部３６との間には内容物Ｌが流れ得る隙間が生じていて、流路４が開状態とされている。
【００３３】
従って、キャップ４２が取り外された図３に示す状態にあっては、チューブ１が使用者により摘まれて押されると、チューブ１内の内容物Ｌが、流路４を介してパイプ部６０の吐出口６から吐出されてブラシ７に浸出し使用可能とされる。
【００３４】
キャップ４２は、図２に示すように、外側のアウターキャップ４３と、内側のインナーキャップ４４とを備えている。アウターキャップ４３は、図１４に示すように、円筒の先端を閉じた形状を呈し、その後端側の内周面に、連結部材１３の雄螺子２６に螺合する雌螺子４５を有すると共に、図２に示すように、その軸線方向中程の内周面に、インナーキャップ４４を装着するための雌螺子４６を有する構成とされている。
【００３５】
また、インナーキャップ４４は、図１５に示すように、後端部の外径が大径とされた段付き円筒状に構成されている。このインナーキャップ４４の段差部から前側に向かっては、軸線方向に所定長延びる突条４７が、インナーキャップ４４の雌螺子４６との噛み合い部として周方向に沿って複数設けられている。このインナーキャップ４４の後端部は、キャップ４２の装着時に第一部材１５を軸線方向後方へ押圧するためのものである。
【００３６】
このインナーキャップ４４は、図２に示すように、アウターキャップ４３に内挿され、その突条４７がアウターキャップ４３の雌螺子４６に噛み合うことで、アウターキャップ４３に回転不能且つ軸線方向移動不能に装着されている。このようにアウターキャップ４３にインナーキャップ４４を装着することで、キャップ内の容積の低減が図られ内容物Ｌの揮発防止に寄与する。
【００３７】
そして、キャップ４２は、そのアウターキャップ４３の雌螺子４５が連結部材１３の雄螺子２６に螺合することで、連結部材１３に装着されている。このキャップ４２の装着時にあっては、キャップ４２のインナーキャップ４４の後端部が、第一部材１５を軸線方向後方へ押圧し、第一部材１５及び第二部材１６が、第二部材１６と連結部材１３との間のＯリング４８を潰しながら軸線方向後方へ移動する。この時、Ｏリング４８は弾発力を蓄積し、この第二部材１６の後方への移動により、第二部材１６の先細りの円筒部４９も後方へ移動し、当該円筒部４９の開口に弁体５の先端部３６が近接又は当接することで、流路４が閉状態とされる。従って、キャップ４２の装着時にあっては、チューブ１が押し潰されても内容物Ｌが漏出することは無い。
【００３８】
次に、このような構成を有する内容物押出容器１００の組立手順について図１６及び図１７を参照しながら説明する。
【００３９】
先ず、第二部材１６にＯリング４８を装着すると共にブラシ７を装着し、次いで、第一部材１５に第二部材１６を重ね第一部材１５の周方向に沿って軸線方向に凹凸する凹凸部１８の凹部１９ａに第二部材１６のボス３９を進入させることで当該第二部材１６を第一部材１５に対して回転方向に係合し、次いで、この第二部材１６に連結部材１３を重ね、第一部材１５の凹凸部１８の凸部２０を連結部材１３の位置決め用孔５０に挿通することで当該連結部材１３を第一部材１５に対して回転方向に係合する。この係合時にあっては、第一部材１５は、その凹凸部１８の凸部２０の抜け止め部４１が、連結部材１３の環状凸部２９の内周面に当接し内側（軸線に向かう側）に撓みながら軸線方向後方へ移動し、その抜け止め部４１が環状凸部２９を通過すると、その凸部２０が元の状態に弾性復帰し抜け止め部４１が環状凸部２９の後側の面に抜け止めとして係止される（図１９参照）。
【００４０】
次いで、アウターキャップ４３にインナーキャップ４４を組み込んだキャップ４２を連結部材１３に装着して流路４を閉状態とし、次いで、連結部材１３及び第二部材１６を第一部材１５に対して回転方向に係合した仮組体の凹凸部１８の横断面円弧状の周面を有する凸部２０の先端部及び仮組体を構成する後側の連結部材１３を、案内部として利用しながら、当該凸部２０の先端部を、内容物Ｌが充填されているチューブ１のその円筒状の首部３に外挿し当該首部３の外周面に設けられた凸部１０，３０間Ｘに進入させる（図１８参照）ことで当該仮組体を首部３に対して回転方向に係合すると共に、当該仮組体の環状溝２７を首部３の環状凸部９に係合し当該仮組体を軸線方向移動不能に係合することで、チューブ１とブラシ７の長手方向が一致した図１に示す内容物押出容器１００が得られる。
【００４１】
このように本実施形態の内容物押出容器１００にあっては、チューブ１及びブラシ７が各々回転方向の方向性を有しこれらの方向性を対応させる必要があると共に、チューブ１の首部３とこれに装着される吐出口本体２の装着側の部分が円筒状にされている場合において、吐出部材１４の後側へ延出する凸部（係合部）２０を、連結部材１３の位置決め用孔（第一の被係合部）５０及び首部３の凸部（第二の被係合部）１０，３０に係合させることで、吐出部材１４を連結部材１３及び首部３に対して回転方向に位置決めする構成としているため、簡易な構成で組立が容易とされていると共に吐出部材１４の凸部２０が連結部材１３及び首部３の二部品の回転方向の係合に兼用とされて一層簡易な構成で組立が容易とされている。
【００４２】
加えて、連結部材１３の位置決め用孔５０に吐出部材１４の凸部２０が挿通するように、連結部材１３を吐出部材１４に単に重ねて二部品の回転方向の係合を成すようにしているため、組立が一層容易とされている。
【００４３】
加えて、吐出部材１４の第二部材１６のボス３９が吐出部材１４の第一部材１５の凹部１９ａに進入するように第二部材１６を第一部材１５に単に重ねることで二部品の回転方向の係合を成し、連結部材１３の位置決め用孔５０に第一部材１５の凸部２０が挿通するように、連結部材１３を、第二部材１６が重ねられている第一部材１５に単に重ねることで三部品の回転方向の係合を成すようにしているため、組立が容易とされていると共に第一部材１５の凸部２０が第二部材１６、連結部材１３、首部３の三部品の回転方向の係合に兼用とされて簡易な構成で組立が容易とされている。
【００４４】
また、首部３に被せる吐出口本体（吐出部材１４及び連結部材１３）２により首部３が見難く当該吐出口本体２の首部３に対する装着がし難くなっている組み立てにおいて、吐出部材１４の凸部２０及び連結部材１３により形成される案内部が、吐出口本体２を首部３に装着する際の案内とされるため、一層組立が容易とされている。
【００４５】
また、本実施形態の内容物押出容器１００にあっては、Ｏリング４８が内容物Ｌに触れない配置構成とされているため、物性が変化せず長期の使用が可能である。
【００４６】
次に、本発明の第二実施形態を図２０〜図３０を参照しながら説明する。図２０は、  本発明の第二実施形態に係る内容物押出容器の要部を示す縦断面図、図２１は、図２０のXXI−XXI矢視図、図２２は、図２１のXXII−XXII矢視図、図２３及び図２４は、チューブを示す各斜視図、図２５〜図２７は、第一部材を示す各図、図２８は、第二部材を示す前方斜視図、図２９及び図３０は、連結部材を示す各斜視図である。なお、第一実施形態で説明した部分と形状は異なるが機能が同じ部分に関しては第一実施形態と同じ符号を付し、ここでの説明は省略する。
【００４７】
この第二実施形態の内容物押出容器２００は、図２０に示すように、チューブ（容器本体）１０１及び吐出口本体１０２を具備し、この吐出口本体１０２は、連結部材１１３及び吐出部材１１４を備え、この吐出部材１１４は、ブラシ７、第一部材１１５及び第二部材１１６を有する構成とされ、第一実施形態の内容物押出容器１００の部品と対応する部品構成とされているが、主に各部品間の係合に係る形状が第一実施形態と異なっている。
【００４８】
チューブ１０１は、図２３及び図２４に示すように、その首部１０３が段付き円筒状に構成され、首部１０３における前半部１０３ａと環状凸部９との間が前半部１０３ａより外径が大径で環状凸部９より外径が小径の環状部１０３ｂされている。そして、この環状部１０３ｂには、その先端から開放されて前半部１０３ａに面一に連設し環状凸部９まで延びる溝（第二の被係合部）１１０が設けられている。この溝１１０は、連結部材１１３を回転方向に係合するためのもので、収容部１２の短軸（図示上下軸）に重なる位置に対向して一対が設けられている。
【００４９】
吐出部材１１４を構成する第一部材１１５は、図２０、図２２、図２５〜図２７に示すように、軸線方向略中央から前側は第一実施形態の第一部材１５と略同じであるが、軸線方向略中央から後側が、円筒状を成す外筒１１５ａ及び内筒１１５ｂを有する構成とされている。ブラシ７は、この内筒１１５ｂに挿入されて装着され開口２１から突出する。この内筒１１５ｂの外周面には、後端より所定に離間した位置から軸線方向に沿って前側に延びる突条（第一の係合部）１２０が、周方向に１８０°離間した位置に対向して設けられている。この突条１２０は、連結部材１１３を回転方向に係合するためのものであり、開口２１の長軸（図２７における左右軸）に重なる位置に設けられている。また、外筒１１５ａの内周面の後端には、内側に張り出す環状の抜け止め部１１５ｃが設けられている。この抜け止め部１１５ｃは、第一部材１１５の軸線方向外方への抜け止めとして機能するものである。
【００５０】
吐出部材１１４を構成する第二部材１１６は、図２０、図２２及び図２８に示すように、略円筒状を成す第二部材本体３７の軸線方向略中央に鍔部１３８を備え、第二部材本体３７の鍔部１３８より前側の部分が段付き円筒状に構成され、鍔部１３８より前側の部分の前半部１１６ａと鍔部１３８との間の部分が、前半部１１６ａより外径が大径で鍔部１３８より外径が小径の環状部１１６ｂされている。この環状部１１６ｂの外周面は、第一部材１１５に回転方向及び軸線方向に係合するためのものである。また、この第二部材１１６にあっては、第一実施形態のボス３９が無くされていると共に、第二部材本体３７における鍔部１３８より後側の外周面及び当該鍔部１３８の後側の面がＯリング４８を装着する装着面とされている。
【００５１】
この第二部材１１６は、図２０及び図２２に示すように、第二部材本体３７の鍔部１３８より前側の部分が第一部材１１５の内筒１１５ｂに内挿され、その鍔部１３８が内筒１１５ｂの後端面に突き当てられると共に、その環状部１１６ｂの外周面が内筒１１５ｂの内周面に圧接することで、回転不能且つ軸線方向移動不能に装着されている。また、第二部材１１６における第二部材本体３７の鍔部１３８寄りの外周面には、Ｏリング４８が鍔部１３８の後側の面に密着するようにして嵌着されている。
【００５２】
連結部材１１３は、図２０、図２２、図２９及び図３０に示すように、略円筒状を成す外筒１２２の先端側の軸線方向途中から略円筒状を成して後方に延びる内筒１２３を連結した構成とされている。この内筒１２３の内周面の軸線方向略中央には、開口３５が設けられた壁部３４が連設され、この壁部３４の略中央には、円錐状の先端部３６を含む弁体５が前側に突出するように設けられている。
【００５３】
図２２及び図２９に示すように、連結部材１１３の外筒１２２の先端の内周面には、その先端から開放されて後方に延びる溝（第一の被係合部）１５０が、周方向に１８０°離間した位置に対向して設けられている。この溝１５０は、第一部材１１５の突条１２０を回転方向に係合するためのものである。また、外筒１２２の先端の外周面には、第一部材１１５の抜け止め部１１５ｃに軸線方向に対向し抜け止めとして機能する環状凸部１１３ｃが設けられている。
【００５４】
また、図２２及び図３０に示すように、外筒１２２の後端側の内周面は、後側の面１１３ｂが前側の面１１３ａに比して内径が大径の段差面とされていて、この後側の面１１３ｂの後端側に環状溝２７が設けられていると共に、後側の面１１３ｂの周方向に１８０°離間する位置に、図２０及び図３０に示すように、突条（第二の係合部）１２８が一対設けられている。これらの突条１２８は、前側の溝１５０，１５０の並設方向に直交する方向に対向して設けられると共に、後側の面１１３ｂにおける前側の面１１３ａとの境界部から後側の環状溝２７までの範囲に亘って内側（軸線）に向かって突出するように設けられ、前側の面１１３ａと面一を成す構成とされている。これらの突条１２８は、首部１０３の溝１１０に進入し回転方向に係合するためのものである。
【００５５】
そして、連結部材１１３は、図２０及び図２２に示すように、その先端部が第一部材１１５の外筒１１５ａと内筒１１５ｂとの間に進入し、その溝１５０に第一部材１１５の突条１２０が進入することで、回転不能に連結されている。
【００５６】
また、第一部材１１５及び第二部材１１６と回転不能に連結した連結部材１１３は、図２０及び図２１に示すように、その突条１２８が、円筒状を成す首部１０３の溝１１０に進入し係合することで、首部１０３に回転不能に連結されると共に、図２０及び図２２に示すように、その環状溝２７が首部１０３の環状凸部９に係合することで、首部１０３に軸線方向移動不能に装着されている。この状態で、第一部材１１５及び第二部材１１６は、首部１０３に軸線方向移動不能に連結された連結部材１１３と第二部材１１６の鍔部１３８との間のＯリング４８により軸線方向に弾発されて、第一部材１１５の抜け止め部１１５ｃの前側の面が、連結部材１１３の環状凸部１１３ｃの後側の面に当接し、第一部材１１５及び第二部材１１６のそれ以上の前方への移動が阻止される図２２に示す状態とされ、流路４が開状態とされる。
【００５７】
また、図２０に示すように、キャップ１４２は、第一実施形態のアウターキャップ４３及びインナーキャップ４４を一体化した形状の一体成形品である。このキャップ１４２は、その雌螺子４５が連結部材１１３の雄螺子２６に螺合することで、連結部材１１３に装着され、キャップ１４２の雌螺子４５より前側の内周段差面が、第一部材１１５を軸線方向後方へ押圧し、第一部材１１５及び第二部材１１６が、第二部材１１６と連結部材１１３との間のＯリング４８を潰しながら軸線方向後方へ移動することで、流路４が閉状態とされる。
【００５８】
そして、このような構成を有する内容物押出容器２００を組み立てる場合には、先ず、第二部材１１６にＯリング４８を装着すると共にブラシ７を装着し、次いで、第一部材１１５の内筒１１５ｂに第二部材１１６を圧入することで、第一部材１１５と第二部材１１６とを回転不能且つ軸線方向移動不能に連結し、次いで、第二部材１１６を連結した第一部材１１５の突条１２０を連結部材１１３の溝１５０に進入させることで、第一部材１１５と連結部材１１３とを回転方向に係合する。この係合時にあっては、第一部材１１５は、その抜け止め部１１５ｃが、連結部材１１３の先端部の外周面に当接し外側に撓みながら軸線方向後方へ移動し環状凸部１１３ｃを通過すると、元の状態に弾性復帰し環状凸部１１３ｃの後側の面に抜け止めとして係止される（図２２参照）。
【００５９】
次いで、キャップ１４２を連結部材１１３に装着して流路４を閉状態とし、次いで、第一部材１１５及び第二部材１１６を回転方向に係合した連結部材１１３を、内容物Ｌが充填されているチューブ１０１のその円筒状の首部１０３に外挿し、当該連結部材１１３の突条１２８を、円筒状を成す首部１０３の溝１１０に進入させる（図２０及び図２１参照）ことで連結部材１１３を首部１０３に対して回転方向に係合すると共に、当該連結部材１１３の環状溝２７を首部１０３の環状凸部９に係合し当該連結部材１１３を軸線方向移動不能に係合することで、チューブ１０１とブラシ７の長手方向が一致した図２０に示す内容物押出容器２００が得られる。
【００６０】
このような内容物押出容器２００によれば、吐出部材１１４の突条（第一の係合部）１２０が、連結部材１１３の溝（第一の被係合部）１５０に係合し、この連結部材１１３の突条（第二の係合部）１２８が、首部１０３の溝（第二の被係合部）１１０に係合することで、吐出部材１１４が連結部材１１３及び首部１０３に対して回転方向に位置決めされる構成としているため、簡易な構成で組立が容易とされている。
【００６１】
以上、本発明をその実施形態に基づき具体的に説明したが、本発明は上記実施形態に限定されるものではなく、例えば、上記実施形態においては、吐出部材１４，１１４が第一部材１５，１１５と第二部材１６，１１６とを備える構成としているが、これらの第一部材１５，１１５と第二部材１６，１１６とは一体化されていても良い。このような場合にあっても、上記実施形態と同様な効果を得ることができるというのはいうまでもない。
【００６２】
また、上記実施形態においては、弾発手段をＯリング４８としているが、これに限定されるものではなく、例えばスプリング等を用いることも可能である。
【００６３】
また、上記実施形態においては、連結部材１３，１１３が弁体５を有するようにしているが、吐出部材１４，１１４が弁体５を有する構成とすることも可能である。
【００６４】
また、上記実施形態においては、回転方向の方向性があるものとして、塗布部をブラシ７とし、容器本体をチューブ（軟質容器）１，１０１としているが、塗布部を、内容物Ｌを外部に吐出する吐出口を有する蓋体や、蓋体の吐出口を覆うように設けられる発泡ウレタンや微細なネット状等の多孔質材等としても良く、また、容器本体を、他の軟質容器であるソフトボトル等のスクイーズタイプの容器としても良く、さらには硬質容器としても良い。
【００６５】
また、上記実施形態においては、好適であるとして、内容物Ｌとしてリキッドファンデーションを用いているが、例えば、リップグロス、リップ、アイカラー、アイライナー、美容液、洗浄液、ネールエナメル、ネールケア溶液、ネールリムーバー、マスカラ、アンチエイジング、ヘアーカラー、頭髪用化粧料、オーラルケア、マッサージオイル、角栓ゆるめ液、ファンデーション、コンシーラー、スキンクリーム、マーキングペン等の筆記用具等のインク、液状の医薬品、泥状物等を始めとした液状や、ゼリー状、ゲル状、ペースト状を含む練り状等の半固体や軟固形状等を用いることが可能である。
【００６６】
また、上記実施形態においては、使用者によるスクイーズにより内容物Ｌが押し出されるようにしているが、例えば、本体筒とこれに相対回転可能に装着された操作筒とが相対回転されると螺合機構の作用によりピストンが前進し内容物を押し出す機械的な押出機構やノック式等の機械的な押出機構を有する容器に対しても適用可能である。
【図面の簡単な説明】
【００６７】
【図１】本発明の第一実施形態に係る内容物押出容器を示す縦断面図であり、キャップ装着時の状態図である。
【図２】本発明の第一実施形態に係る内容物押出容器の要部を拡大して示す縦断面図であり、キャップ装着時の状態図である。
【図３】本発明の第一実施形態に係る内容物押出容器の要部を拡大して示す縦断面図であり、キャップ非装着時の状態図である。
【図４】図１中のチューブを示す前方斜視図である。
【図５】図１中のチューブを示す後方斜視図である。
【図６】図１中の吐出部材を構成する第一部材を示す前方斜視図である。
【図７】図１中の吐出部材を構成する第一部材を示す後方斜視図である。
【図８】図１中の吐出部材を構成する第二部材を示す前方斜視図である。
【図９】図１中の吐出部材を構成する第二部材を示す後方斜視図である。
【図１０】図１中の連結部材を示す前方斜視図である。
【図１１】図１中の連結部材を示す正面図である。
【図１２】図１中の連結部材を示す後方斜視図である。
【図１３】図１中の連結部材を示す背面図である。
【図１４】図１中のアウターキャップを示す後方斜視図である。
【図１５】図１中のインナーキャップを示す後方斜視図である。
【図１６】図１に示す内容物押出容器の前方分解斜視図である。
【図１７】図１に示す内容物押出容器の後方分解斜視図である。
【図１８】図３のXVIII−XVIII矢視図である。
【図１９】図１８のXIX−XIX矢視図である。
【図２０】本発明の第二実施形態に係る内容物押出容器の要部を示す縦断面図であり、キャップ装着時の状態図である。
【図２１】図２０のXXI−XXI矢視図である。
【図２２】図２１のXXII−XXII矢視図であり、キャップ非装着時の図である。
【図２３】図２０中のチューブを示す斜視図である。
【図２４】図２０中のチューブを示す前方斜視図である。
【図２５】図２０中の吐出部材を構成する第一部材を示す前方斜視図である。
【図２６】図２０中の吐出部材を構成する第一部材を示す後方斜視図である。
【図２７】図２０中の吐出部材を構成する第一部材を示す背面図である。
【図２８】図２０中の吐出部材を構成する第二部材を示す前方斜視図である。
【図２９】図２０中の連結部材を示す前方斜視図である。
【図３０】図２０中の連結部材を示す後方斜視図である。
【符号の説明】
【００６８】
１，１０１…チューブ（容器本体）、２，１０２…吐出口本体、３，１０３…首部、６…吐出口、７…ブラシ（吐出部材）、８…首部の開口、１０，３０…首部の凸部（第二の被係合部）、１２…収容部、１３，１１３…連結部材、１４，１１４…吐出部材、１５，１１５…第一部材（吐出部材）、１６，１１６…第二部材（吐出部材）、２０…吐出部材の凸部（係合部）、５０…連結部材の位置決め用孔（第一の被係合部）、１００，２００…内容物押出容器、１１０…首部の溝（第二の被係合部）、１２０…吐出部材の突条（第一の係合部）、１２８…連結部材の突条（第二の係合部）、１５０…連結部材の溝（第一の被係合部）、Ｌ…内容物、Ｘ…首部の外周面の係合部間。
【図１】
2006335419.tif 000003
【図２】
2006335419.tif 000004
【図３】
2006335419.tif 000005
【図４】
2006335419.tif 000006
【図５】
2006335419.tif 000007
【図６】
2006335419.tif 000008
【図７】
2006335419.tif 000009
【図８】
2006335419.tif 000010
【図９】
2006335419.tif 000011
【図１０】
2006335419.tif 000012
【図１１】
2006335419.tif 000013
【図１２】
2006335419.tif 000014
【図１３】
2006335419.tif 000015
【図１４】
2006335419.tif 000016
【図１５】
2006335419.tif 000017
【図１６】
2006335419.tif 000018
【図１７】
2006335419.tif 000019
【図１８】
2006335419.tif 000020
【図１９】
2006335419.tif 000021
【図２０】
2006335419.tif 000022
【図２１】
2006335419.tif 000023
【図２２】
2006335419.tif 000024
【図２３】
2006335419.tif 000025
【図２４】
2006335419.tif 000026
【図２５】
2006335419.tif 000027
【図２６】
2006335419.tif 000028
【図２７】
2006335419.tif 000029
【図２８】
2006335419.tif 000030
【図２９】
2006335419.tif 000031
【図３０】
2006335419.tif 000032